(57)【要約】【課題】開錠のためのストロークを十分に取ることができる信頼性の高いプッシュプル錠を提供すること。【解決手段】操作レバー７，８の押し込み操作、または引き寄せ操作によりラッチ２を係止孔１７から退避させるラッチ錠において、滑動により進退するラッチ２を常時突出方向に付勢して収容するとともに、ラッチの後端に長貫通穴６が形成されたラッチユニットと、長貫通孔６に遊嵌して操作レバー７、８の押し込み操作、引き寄せ操作によりラッチ２を後退させる方向に移動するカム板４，５と、押し込み操作されるレバー８にはカム板５の一端をラッチ側に押圧する突起部１３が設けられている。【選択図】図１
2011094397.tif 000002
【特許請求の範囲】
【請求項１】
操作レバーの押し込み操作、または引き寄せ操作によりラッチを扉枠の係止孔から退避させるラッチ錠において、滑動により進退するスライドラッチを常時突出方向に付勢して収容するとともに、前記スライドラッチの後端側に長貫通穴が形成されたラッチユニットと、前記長貫通孔に遊嵌して前記操作レバーの押し込み操作、引き寄せ操作により前記スライドラッチを後退させる方向に移動するカム板と、前記押し込み操作されるレバーには前記カム板の前端を前記スライドラッチの係止孔との契合側に押圧する突起部とからなるスライドラッチを使用したプッシュプル錠。
【発明の詳細な説明】
【技術分野】
【０００１】
本発明は、扉を開放する方向にレバーを押し込み操作、または引き寄せ操作することによりスライドラッチを開錠できるプッシュプル錠に関する。
【背景技術】
【０００２】
プッシュプル錠は、特許文献１に見られるようにドアの壁面に、内外の取付け座を介して内外のレバーを押し込み操作、または引き寄せ操作により開錠するように構成されている。
しかしこれらのプッシュプル錠は、レバーの押し込み、引き寄せ操作により開錠が可能であるものの、ラッチを軸を中心に回動させて退避させる構造であるため、ラッチそのものの構造が複雑となるばかりでなく、ラッチの後退量がスライドラッチに比較して少ないためドアと枠との間の隙間が大きい場合にはわずかなレバーの移動でも不用意に開錠してしまい危険が伴うという問題がある。
【先行技術文献】
【特許文献】
【０００３】
【特許文献１】特開２００２−７０３８６
【発明の概要】
【発明が解決しようとする課題】
【０００４】
本発明は、このような事情に鑑みてなされたものであって、目的とするところはスライドラッチを使用して開錠のためのレバーのストロークを十分に取ることができる信頼性の高いプッシュプル錠を提供することである。
【課題を解決するための手段】
【０００５】
このような課題を達成するために本発明においては、操作レバーの押し込み操作、または引き寄せ操作によりラッチを扉枠の係止孔から退避させるラッチ錠において、滑動により進退するスライドラッチを常時突出方向に付勢して収容するとともに、前記スライドラッチの後端側に長貫通穴が形成されたラッチユニットと、前記長貫通孔に遊嵌して前記操作レバーの押し込み操作、引き寄せ操作により前記スライドラッチを後退させる方向に移動するカム板と、前記押し込み操作されるレバーには前記カム板の前端を前記スライドラッチの係止孔との契合側に押圧する突起部が設けられている。
【発明の効果】
【０００６】
スライドラッチが軸方向への滑動により進退する構造であるため、開錠のために必要なストロークを長くすることができ、中途半端なレバーの操作量では施錠状態を維持できて、安全を確保できる。
また、回動により退避させるラッチを使用した場合に比較して構造の簡素化を図ることができる。
【図面の簡単な説明】
【０００７】
【図１】図（イ）、（ロ）は、それぞれ本発明の一実施例を示す断面図である。
【図２】スライドラッチユニットの一例を示す図である。
【図３】レバーとカム板との関係を示す模式図である。
【発明を実施するための形態】
【０００８】
そこで以下に本発明の詳細を図示した実施例に基づいて説明する。
図１は、本発明のプッシュプル錠の一実施例を示すものであって、スライドラッチユニットを構成するスライドラッチ２は、は滑動により進退するとともに付勢部材１により常時突出するように構成されているとともにその後端側には、ドア３にセットされたときドア３に垂直な方向に延びるカム板４、５が遊嵌、挿入され、カム板４、５の後端（ドア側の端部）により押される壁面２ｂを備えた長貫通穴６（図２）が設けられている。
なお、図１（イ）における二点鎖線で示したレバーの位置は、開錠操作時の状態を示すものである。
【０００９】
ドア３の表裏となる側には引き寄せ操作用の操作レバー７と、押し込み操作用の操作レバー８とが枢支され、レバー７，８がドア３に垂直な方向に移動するように設けられている。
開錠の際に引き寄せ操作されるレバー７にはカム板４が軸９に枢支されて設けられており、バネ１０により常時レバー７を外側に付勢してドア３の表面から一定の隙間を維持するように構成されている。
【００１０】
一方、開錠の際に押し込み操作されるレバー８は、軸１１に枢支されて設けられ、バネ１２によりレバー８を外側に常時付勢してドア３の表面から一定の隙間を維持するように構成され、またレバー８のドア３の表面側の端部には突起部１３が形成されている。このレバー８に連動するカム板５は、レバー８の突起部１３に契合するように軸１４に枢支されている。これによりレバー８の押し込み操作の運動が軸１１、１４により引き寄せ操作用のレバー７によるカム板４と同一方向に変換される。なお、突起部１３の、カム板５と接触する領域は円弧状に整形されている。
【００１１】
これら２枚のカム板４、５は、その後端側（ドア側の端部）が相互干渉しないように上下関係となるようにラッチ２の長貫通穴６に挿入されている。なお、図中符号１６は、戸当たりを示す。
【００１２】
この実施例において開錠のために、レバー７をバネ１０の付勢力に抗して引き寄せ操作すると（図３  符号Ａ）、カム板４が回動して（符号Ｂ）カム板４の後端がラッチ２の長貫通穴６を移動して後壁を付勢力に抗して押圧してラッチ２を後退させるから、ラッチ２が枠１８の係止孔１７から抜けて開錠する。
【００１３】
一方、レバー８をバネ１２の付勢力に抗して押し込み操作すると（図３  符号Ｃ）、レバー８の突起部１３が軸１１を中心に回動し（符号  Ｄ）、カム板５の先端５ａを軸１４を中心に回動させるため、カム板５の後端は引き寄せ操作用のレバー７が開錠のために操作された際のカム板４と同一の方向、つまりスライドラッチ２を付勢力に抗して後退させる方向に移動して（符号  Ｅ）、ラッチ２が枠１８の係止孔１７から抜けて開錠する。
【００１４】
なお、開錠した状態では、それぞれのレバー７，８はバネ１０，１２の付勢力により元の位置に戻るからそれぞれのカム板４，５の後端は長貫通穴６の先端側に位置している。したがってドアを閉めると、ラッチ２はその斜面２ａに押されて後退し、係止孔１７に進入してドア３を施錠状態とする。
【００１５】
このようにスライドラッチ２を滑動により後退させて開錠するため、回動により進退させる従来のプッシュプル錠を使用した従来のプッシュプル錠に比較してラッチ２のストロークを長くすることができ、操作レバー７，８が中途半端に回動した際でも閉錠状態を依然として維持することが可能となり、ドア３とドア枠１８との間隔ｇが多少大きくなってもラッチ２が係止孔１７に契合しているため、閉錠状態を維持して安全性を高めることができる。
【００１６】
なお、上述の実施例においては押し込み操作用のレバー８の突起部１３が一体に形成されているが、レバー本体部と突起部とに別体に構成して組み付けるようにしても同様の作用を奏することは明らかである。これによれば引き込み操作用レバーと押し込み操作用のレバーを同一の金型で製造できる。
【符号の説明】
【００１７】
２  スライドラッチ
４、５  カム板
６  長貫通穴
７  引き寄せ操作用の操作レバー７
８  押し込み操作用の操作レバー
１３  突起部
【図１】
2011094397.tif 000003
【図２】
2011094397.tif 000004
【図３】
2011094397.tif 000005
【手続補正書】
【提出日】平成21年10月30日(2009.10.30)
【手続補正１】
【補正対象書類名】図面
【補正対象項目名】図１
【補正方法】変更
【補正の内容】
【図１】
2011094397.tif 000006
【手続補正２】
【補正対象書類名】図面
【補正対象項目名】図２
【補正方法】変更
【補正の内容】
【図２】
2011094397.tif 000007